(57)【要約】【課題】テーマパーク等の施設内において、デジタルカメラを持ち歩くことなく、所望とするアングルの画像を撮影できるようにする。【解決手段】テーマパーク内にエリア１Ａ，１Ｂ，１Ｃを設け、各エリアに移動可能にデジタルカメラ２Ａ，２Ｂ，２Ｃを備えておく。デジタルカメラにより撮影を行う際に、デジタルカメラにユーザＩＤを入力する。デジタルカメラは撮影により取得した画像データをユーザＩＤと関連付けて一時的に保管する。撮影後ユーザＵ０がデジタルカメラをカメラ設置台３Ａ，３Ｂ，３Ｃに設置すると、カメラ設置台が撮影により取得した画像データをデジタルカメラから読み出して、ＬＡＮ６経由で画像サーバ７に送信する。画像サーバ７は画像データをユーザＩＤと関連付けて保管する。【選択図】          図１
2004289436.tif 000002
【特許請求の範囲】
【請求項１】
移動可能に設置される撮影装置であって、該撮影装置を用いて撮影を行うユーザを特定するユーザＩＤの入力を受け付けるＩＤ入力手段と、撮影により取得された画像データを該ユーザＩＤと関連付けて外部に送信する撮影装置通信手段とを備えた撮影装置と、
前記撮影装置により取得された画像データを、撮影を行ったユーザのユーザＩＤと関連付けて保管する画像サーバと、
前記撮影装置の前記撮影装置通信手段と通信を行って該撮影装置通信手段が送信した前記画像データを受信するとともに、該画像データを前記画像サーバに送信する通信装置とを備えたことを特徴とする撮影システム。
【請求項２】
前記撮影装置および前記通信装置が、施設内の複数のエリアにそれぞれ設置されてなることを特徴とする請求項１記載の撮影システム。
【請求項３】
前記撮影装置通信手段は、前記複数の撮影装置のそれぞれを特定する撮影装置ＩＤを前記画像データと関連付けて外部に送信し、
前記画像サーバは前記画像データを、前記撮影装置ＩＤとさらに関連付けて保管することを特徴とする請求項２記載の撮影システム。
【請求項４】
前記複数のエリアのうちの少なくとも１つのエリアに、定点に設置された定点撮影装置をさらに備えてなり、該定点撮影装置が、該定点撮影装置を用いて撮影を行うユーザを特定するユーザＩＤの入力を受け付けるＩＤ入力手段と、前記画像サーバと通信を行って撮影により取得した画像データを前記画像サーバに送信する定点撮影装置通信手段とを備えたことを特徴とする請求項２または３記載の撮影システム。
【請求項５】
前記定点撮影装置通信手段は、前記定点撮影装置を特定する定点撮影装置ＩＤを前記画像データと関連付けて前記画像サーバに送信し、
前記画像サーバは前記画像データを前記定点撮影装置ＩＤとさらに関連付けて保管することを特徴とする請求項４記載の撮影システム。
【請求項６】
定点に設置された定点撮影装置をさらに備えてなり、該定点撮影装置が、該定点撮影装置を用いて撮影を行うユーザを特定するユーザＩＤの入力を受け付けるＩＤ入力手段と、前記画像サーバと通信を行って撮影により取得した画像データを前記画像サーバに送信する定点撮影装置通信手段とを備えたことを特徴とする請求項１記載の撮影システム。
【請求項７】
前記定点撮影装置が、撮影日時の予約を受け付け、該予約された撮影日時に撮影を行うよう該定点撮影装置を制御する予約制御手段をさらに備えたことを特徴とする請求項４から６のいずれか１項記載の撮影システム。
【発明の詳細な説明】
【０００１】
【発明の属する技術分野】
本発明は、テーマパーク等の施設内に設置された撮影装置により撮影を行う撮影システムに関するものである。
【０００２】
【従来の技術】
近年、テーマパーク等において、アトラクション内に定点カメラを設置して入場者を被写体として撮影を行い、撮影により取得した画像データをプリント出力して、プリントを入場者に渡すプリントシステムが提案されている。また、テーマパークへの入場時に入場者にタグを渡し、撮影したい定点カメラにタグの番号を登録し、登録した定点カメラに近づくとタグ番号を認識して自動的に撮影を行うシステムも提案されている（特許文献１参照）。このシステムにおいては、撮影により取得された画像データはタグ番号と関連付けられて画像サーバに保管されるため、入場者は後で自宅のパソコンから画像サーバにアクセスして、撮影により取得した画像データを参照することが可能である。
【０００３】
また、定点カメラを操作するＩＤ付きのリモコンを入場者に渡して、リモコンにより定点カメラを操作して撮影を行うシステム（特許文献２参照）、入場者である人物を特定するためのＩＤ情報を記録した無線ＩＣカードのような無線タグを入場者に渡し、テーマパーク内に複数設置された定点カメラにより撮影を行う撮影システムが提案されている（特許文献３，４参照）。これらの撮影システムにおいては、リモコンのＩＤや無線タグに記録されたＩＤ情報と関連付けて画像データを画像サーバに保管している。
【０００４】
また、入場者にＩＤ付きの無線機能付きデジタルカメラを貸与して、取得した画像データを無線により画像サーバに送信するようにしたシステムも提案されている（特許文献５参照）。このシステムにおいては、無線機能付きデジタルカメラのＩＤと関連付けて画像データを画像サーバに保管している。また、定点に設置されたカメラを携帯電話によって操作することにより撮影を行うようにしたシステムも提案されている（特許文献６参照）。特許文献６のシステムは、撮影時に携帯電話の電話番号をカメラに登録し、電話番号と関連付けて画像データを画像サーバに保管している。
【０００５】
【特許文献１】
特開２０００−４１７０３号公報
【０００６】
【特許文献２】
特開平１１−２１５４２１号公報
【０００７】
【特許文献３】
特開２００１−１４８８２２号公報
【０００８】
【特許文献４】
特開２００１−１７７７５０号公報
【０００９】
【特許文献５】
特開２００１−１９７４０７号公報
【００１０】
【特許文献６】
特開２００１−２５８０２２号公報
【００１１】
【発明が解決しようとする課題】
しかしながら、上記特許文献１から４に記載されたシステムにおいては、定点カメラにより撮影を行っているため、予め定められたアングルの画像のみしか撮影することができず、入場者が所望とするアングルの画像を得ることができない。これに対して、特許文献５に記載されたシステムは、入場者は貸与された無線機能付きデジタルカメラにより所望とするアングルの撮影を行うことができる。しかしながら、入場者は常にデジタルカメラを持ち歩く必要があり、さらにデジタルカメラが盗難されたり、デジタルカメラを紛失してしまうと他人にデジタルカメラを利用されて、自身が取得した画像を他人に見られてしまうという問題がある。さらに、特許文献６に記載されたシステムは、携帯電話を携帯していないと利用できない。
【００１２】
本発明は上記事情に鑑みなされたものであり、テーマパーク等の施設内において、デジタルカメラを持ち歩くことなく、所望とするアングルの画像を撮影できるようにすることを目的とする。
【００１３】
【課題を解決するための手段】
本発明による撮影システムは、移動可能に設置される撮影装置であって、該撮影装置を用いて撮影を行うユーザを特定するユーザＩＤの入力を受け付けるＩＤ入力手段と、撮影により取得された画像データを該ユーザＩＤと関連付けて外部に送信する撮影装置通信手段とを備えた撮影装置と、
前記撮影装置により取得された画像データを、撮影を行ったユーザのユーザＩＤと関連付けて保管する画像サーバと、
前記撮影装置の前記撮影装置通信手段と通信を行って該撮影装置通信手段が送信した前記画像データを受信するとともに、該画像データを前記画像サーバに送信する通信装置とを備えたことを特徴とするものである。
【００１４】
「ユーザＩＤ入力手段」としては、ユーザにより入力されるもの、ユーザが所持するタグ等に記載されたユーザＩＤを撮影することにより認識するもの等、任意の手段を用いることができる。
【００１５】
「撮影装置通信手段」としては、無線によるものおよび有線によるもののいずれをも用いることができる。
【００１６】
なお、本発明による撮影システムにおいては、前記撮影装置および前記通信装置を、テーマパーク、遊園地、イベント会場等の施設内の複数のエリアにそれぞれ設置するようにしてもよい。
【００１７】
この場合、前記撮影装置通信手段を、前記複数の撮影装置のそれぞれを特定する撮影装置ＩＤを前記画像データと関連付けて外部に送信するものとし、前記画像サーバを、前記画像データを前記撮影装置ＩＤとさらに関連付けて保管するものとしてもよい。
【００１８】
また、この場合、前記複数のエリアのうちの少なくとも１つのエリアに、定点に設置された定点撮影装置をさらに備えるものとし、該定点撮影装置が、該定点撮影装置を用いて撮影を行うユーザを特定するユーザＩＤの入力を受け付けるＩＤ入力手段と、前記画像サーバと通信を行って撮影により取得した画像データを前記画像サーバに送信する定点撮影装置通信手段とを備えるものとしてもよい。
【００１９】
「定点撮影装置通信手段」としては、無線によるものおよび有線によるもののいずれをも用いることができる。
【００２０】
また、本発明による撮影システムにおいては、前記定点撮影装置通信手段を、前記定点撮影装置を特定する定点撮影装置ＩＤを前記画像データと関連付けて前記画像サーバに送信するものとし、前記画像サーバを、前記画像データを前記定点撮影装置ＩＤとさらに関連付けて保管するものとしてもよい。
【００２１】
なお、本発明による撮影システムにおいて、１つの撮影装置および１つの通信装置を備える場合に１つの定点撮影装置を設置してもよい。
【００２２】
また、本発明による撮影システムにおいては、前記定点撮影装置を、撮影日時の予約を受け付け、該予約された撮影日時に撮影を行うよう該定点撮影装置を制御する予約制御手段をさらに備えるものとしてもよい。
【００２３】
【発明の効果】
本発明によれば、ユーザが撮影装置を手にとってユーザＩＤの入力を行い、さらに撮影装置を任意のアングルに構えて撮影を行う。撮影後、撮影装置の撮影装置通信手段が通信装置と通信を行い、撮影により取得した画像データをユーザＩＤと関連付けて通信装置に出力する。通信装置はユーザＩＤと関連付けられた画像データを画像サーバに送信する。画像サーバは送信された画像データをユーザＩＤと関連付けて保管する。このため、ユーザは撮影装置を持ち歩かなくても、所望とするアングルの画像の撮影を行うことができる。また、画像データはユーザＩＤと関連付けられて画像サーバに保管されるため、後日ユーザは自宅のパソコン等から画像サーバにアクセスし、ユーザＩＤに基づいて画像データを検索することにより、自身が撮影により取得した画像データを他人に見られることなく閲覧することができる。
【００２４】
また、施設内の複数のエリアのそれぞれに撮影装置および通信装置を設置すれば、複数のエリアのそれぞれにおいて画像データを取得することができる。
【００２５】
また、撮影装置通信手段から撮影装置を特定する撮影装置ＩＤを画像データと関連付けて出力し、画像サーバにおいて撮影装置ＩＤとさらに関連付けて画像データを保管することにより、撮影装置ＩＤに毎に撮影された画像データを集計することができる。このため、集計結果に基づいて施設内のどのエリアの人気があるかを容易に把握することができる。
【００２６】
また、定点撮影装置を備えるものとし、定点撮影装置においてユーザＩＤの入力を受け付け、撮影により取得した画像データをユーザＩＤと関連付けて画像サーバに送信して保管することにより、例えば施設が推奨する背景の方向に定点撮影装置を向けて設置しておけば、施設が推奨するアングルの画像の撮影を行うことができる。また、後日ユーザは自宅のパソコン等から画像サーバにアクセスすることにより、ユーザＩＤに基づいて定点撮影装置を用いての撮影により取得した画像データを容易に検索することができる。
【００２７】
また、複数のエリアのうちの少なくとも１つのエリアに定点撮影装置を備えるものとした場合、定点撮影装置通信手段から定点撮影装置を特定する定点撮影装置ＩＤを画像データと関連付けて出力し、画像サーバにおいて定点撮影装置ＩＤとさらに関連付けて画像データを保管することにより、撮影された画像データを定点撮影装置ＩＤに毎に集計することができる。このため、集計結果に基づいて施設内のどのエリアが人気があるかを容易に把握することができる。
【００２８】
また、定点撮影装置に予約制御手段を設け、撮影日時の予約を受け付け、予約された撮影日時に撮影を行うようにすれば、例えば施設内において決められた時間に行われるパレード等のイベントの時間に合わせて予約を行うことにより、そのイベントの画像データを確実に撮影して画像サーバに保管しておくことができる。また、ユーザは、そのイベントの時刻に定点撮影装置が設置された場所にいる必要がなくなるため、ユーザはイベントの時刻に拘束されることなく、施設内を自由に移動できる。
【００２９】
【発明の実施の形態】
以下図面を参照して本発明の実施形態について説明する。図１は本発明の実施形態による撮影システムの構成を示す概略ブロック図である。図１に示すように、本実施形態による撮影システムは、テーマパーク内における複数のエリア（ここでは３つ）１Ａ，１Ｂ，１Ｃのそれぞれに、デジタルカメラ２Ａ，２Ｂ，２Ｃが備えられている。また、各デジタルカメラ２Ａ，２Ｂ，２Ｃは、カメラ設置台３Ａ，３Ｂ，３Ｃに設置されており、エリア１Ａ，１Ｂ，１Ｃ内においてデジタルカメラ２Ａ，２Ｂ，２Ｃにより撮影を所望するユーザＵ０が、カメラ設置台３Ａ，３Ｂ，３Ｃからデジタルカメラ２Ａ，２Ｂ，２Ｃを取り上げて撮影を行うことができるようになっている。
【００３０】
また、デジタルカメラ２Ａ，２Ｂ，２Ｃは無線ＬＡＮによる通信が可能となっており、エリア１Ａ，１Ｂ，１Ｃにはエリア１Ａ，１Ｂ，１Ｃを無線ＬＡＮ通信エリアとするための無線ＬＡＮ通信機器４Ａ，４Ｂ，４Ｃが設置されている。
【００３１】
また、エリア１Ａ，１Ｂには、固定されたアングルを向いた定点カメラ５Ａ，５Ｂが設置されている。なお、定点カメラ５Ａ，５Ｂのアングルは、テーマパークが推奨する背景の方向を向いたものとなっている。
【００３２】
また、テーマパークには、エリア１Ａ，１Ｂ，１Ｃにおいてデジタルカメラ２Ａ，２Ｂ，２Ｃおよび定点カメラ５Ａ，５Ｂが撮影により取得した画像データを保管する画像サーバ７および画像データのプリント出力やメディアへの記録を行うための出力サーバ８が設けられている。
【００３３】
エリア１Ａ，１Ｂ，１Ｃのカメラ設置台３Ａ，３Ｂ，３Ｃおよび定点カメラ５Ａ，５Ｂ並びに画像サーバ７および出力サーバ８はＬＡＮ６に接続されている。
【００３４】
また、画像サーバ７はインターネット９に接続されており、ユーザＵ０が後日自身のパソコン１０からインターネット９経由で画像サーバ７にアクセスして、画像サーバ７に保管されている画像データを閲覧することが可能となっている。
【００３５】
図２はデジタルカメラ２Ａ，２Ｂ，２Ｃの信号処理系のブロック図である。図２に示すように、本実施形態によるデジタルカメラ２Ａ，２Ｂ，２Ｃには、被写体像を受光面に結像させて光電変換し、画像データとして出力する撮像部４０と、デジタルカメラ１全体の制御を行うとともに画像データのサンプリングタイミング制御、画像データの記録制御、通信制御およびＬＣＤ１４への表示制御等の制御を行うＣＰＵ４２と、画像サイズの変更、シャープネス補正、ガンマ補正、コントラスト補正およびホワイトバランス補正等の処理を行う信号処理部４４と、アナログ情報の画像データをデジタルの画像データに変換するＡ／Ｄ変換器４６と、ストロボ４８と、ストロボ４８の操作を制御するストロボ制御部５０と、種々の指示をデジタルカメラ１に対して行うための入力部５２と、入力部５２の設定情報を入力するインターフェースであるＩ／Ｏ５４とが設けられている。
【００３６】
また、デジタルカメラ１には、画像データをＪＰＥＧやモーションＪＰＥＧに代表される手法で圧縮したり、圧縮した画像データを解凍する圧縮解凍部５６と、後述するようにカメラ設置台３Ａ，３Ｂ，３Ｃと接続するためのコネクタ５８と、コネクタ５８を介して各種情報の送受信を行うコネクタインターフェース６２とが設けられている。
【００３７】
また、デジタルカメラ１には、ＣＰＵ４２の動作プログラム等のソフトウェアや各種定数が記録されているＲＯＭおよびＣＰＵ４２が処理を実行する際の作業領域となるＲＡＭにより構成されるシステムメモリ６４と、デジタルカメラ１の各種設定定数を電源遮断後も記録し続けることが可能な書き替え可能な不揮発性メモリ６６と、タイマ撮影時に駆動されるタイマ６８と、現在の時刻を刻むカレンダ時計７０と、無線ＬＡＮ通信機器４Ａ，４Ｂ，４Ｃと通信を行うためのアンテナ３０と、各種情報をアンテナ３０による無線通信によって送受信する場合に用いる無線インターフェース７２と、画像データをＬＣＤ１４に表示するためのＤ／Ａ変換等を行うＬＣＤ制御部７４と、ＣＰＵ４２から指令される表示用の画像データを一時的に記録しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とが設けられている。なお、電力を各部へ供給するバッテリ８４と、撮影により取得した画像データを一時的に記録しておくための内部メモリ８６が設けられている。
【００３８】
ユーザＵ０には、テーマパークへの入場時に用紙にプリントされたユーザＩＤが渡されており、ユーザＵ０は、デジタルカメラ２Ａ，２Ｂ，２Ｃの入力部５２からユーザＩＤを入力してから撮影を行う。デジタルカメラ２Ａ，２Ｂ，２Ｃは、撮影により取得した画像データをユーザＩＤと関連付けて内部メモリ８６に記録する。また、不揮発性メモリ６６にはデジタルカメラ２Ａ，２Ｂ，２Ｃを特定するカメラＩＤが記録されており、デジタルカメラ２Ａ，２Ｂ，２Ｃは、カメラＩＤも画像データと関連付けて内部メモリ８６に記録する。関連付けは、画像データのタグ情報にユーザＩＤおよびカメラＩＤを記述することにより行う。
【００３９】
図３はカメラ設置台３Ａ，３Ｂ，３Ｃの信号処理系のブロック図である。図３に示すように、カメラ設置台３Ａ，３Ｂ，３Ｃには、ＬＡＮ６と接続するためのケーブルが接続されるケーブルコネクタ９０と、ＬＡＮ６経由で通信を行って各種情報を送受信するためのＬＡＮインターフェース９２と、デジタルカメラ２Ａ，２Ｂ，２Ｃを接続するためのコネクタ９４と、コネクタ９４を介して各種情報の送受信を行うコネクタインターフェース９６と、各種情報の通信制御等、カメラ設置台３Ａ，３Ｂ，３Ｃの制御を行うＣＰＵ９８と、ＣＰＵ９８の動作プログラム等のソフトウェアや各種定数が記録されているＲＯＭおよびＣＰＵ９８が処理を実行する際の作業領域となるＲＡＭにより構成されるシステムメモリ１００とが設けられている。
【００４０】
そして、撮影後にユーザＵ０がデジタルカメラ２Ａ，２Ｂ，２Ｃをカメラ設置台３Ａ，３Ｂ，３Ｃに設置して、デジタルカメラ２Ａ，２Ｂ，２Ｃのコネクタ５８とカメラ設置台３Ａ，３Ｂ，３Ｃのコネクタ９４とを接続すると、カメラ設置台３Ａ，３Ｂ，３Ｃがデジタルカメラ２Ａ，２Ｂ，２Ｃの内部メモリ８６に記録された画像データを読み出し、さらにケーブルコネクタ９０を介してＬＡＮ６経由で画像データを画像サーバ７に送信する。
【００４１】
なお、デジタルカメラ２Ａ，２Ｂ，２Ｃをカメラ設置台３Ａ，３Ｂ，３Ｃに設置することなく、デジタルカメラ２Ａ，２Ｂ，２Ｃから画像データを無線ＬＡＮ通信機器４Ａ，４Ｂ，４Ｃに送信して、無線ＬＡＮ通信機器４Ａ，４Ｂ，４Ｃ経由で画像データを画像サーバ７に送信してもよい。
【００４２】
図４は、定点カメラ５Ａ，５Ｂの信号処理系のブロック図である。なお、定点カメラ５Ａ，５Ｂには、デジタルカメラ２Ａ，２Ｂ，２ＣのＬＣＤ１４、撮像部４０、ＣＰＵ４２、信号処理部４４、Ａ／Ｄ変換器４６、ストロボ４８、ストロボ制御部５０、入力部５２、Ｉ／Ｏ５４、圧縮解凍部５６、システムメモリ６４、不揮発性メモリ６６、タイマ６８、カレンダ時計７０、ＬＣＤ制御部７４、フレームメモリ７６、ＯＳＤ７８および内部メモリ８６と同様の機能を有するＬＣＤ１１４、撮像部１４０、ＣＰＵ１４２、信号処理部１４４、Ａ／Ｄ変換器１４６、ストロボ１４８、ストロボ制御部１５０、入力部１５２、Ｉ／Ｏ１５４、圧縮解凍部１５６、システムメモリ１６４、不揮発性メモリ１６６、タイマ１６８、カレンダ時計１７０、ＬＣＤ制御部１７４、フレームメモリ１７６、ＯＳＤ１７８および内部メモリ１８６が設けられている。
【００４３】
また、定点カメラ５Ａ，５Ｂには、ＬＡＮ６と接続するためのケーブルが接続されるケーブルコネクタ１３０と、ＬＡＮ６経由で通信を行って各種情報を送受信するためのＬＡＮインターフェース１７２とが設けられている。
【００４４】
また、定点カメラ５Ａ，５Ｂには撮影時にユーザＵ０に撮影操作を行わせるためのリモコン１６０が付属されており、リモコン１６０からの指示を入力するためのリモコンインターフェース１５８が設けられている。
【００４５】
ユーザは、定点カメラ５Ａ，５Ｂにより撮影を行う場合、入力部１５２からユーザＩＤを入力してからリモコン１６０を操作して撮影を行う。定点カメラ５Ａ，５Ｂは、撮影により取得した画像データをユーザＩＤと関連付けて内部メモリ１８６に記録する。また、不揮発性メモリ６６には定点カメラ５Ａ，５Ｂを特定するカメラＩＤが記録されており、定点カメラ５Ａ，５Ｂは、カメラＩＤも画像データと関連付けて内部メモリ１８６に記録する。関連付けは、画像データのタグ情報にユーザＩＤおよびカメラＩＤを記述することにより行う。
【００４６】
そして、定点カメラ５Ａ，５Ｂは内部メモリ１８６に記録した画像データを、ケーブルコネクタ１３０を介してＬＡＮ６経由で画像サーバ７に送信する。
【００４７】
なお、定点カメラ５Ａ，５Ｂは撮影の予約を受け付けることが可能である。撮影の予約は、ユーザＵ０が入力部５２から予約日時を入力することにより行われる。ここで、予約時にはユーザＩＤも入力する。予約日時は撮影が終了するまで不揮発性メモリ１６６に記録される。そして、ＣＰＵ１４２が常時不揮発性メモリ１６６に記録された予約日時およびカレンダ時計１７０を監視し、予約日時となると、撮像部１４０を駆動して撮影を行う。撮影により取得された画像データは、ユーザＩＤおよび定点カメラＩＤと関連付けられて、画像サーバ７に送信される。この場合、ＣＰＵ４２が予約制御手段として機能する。
【００４８】
ここで、撮影の予約は、定点カメラ５Ａ，５Ｂの入力部５２からユーザＵ０が予約日時を入力することにより行っているが、ユーザＵ０が自宅のパソコン１０からインターネット９経由で画像サーバ７にアクセスし、画像サーバ７経由でテーマパークに出かける前に予約を行うようにしてもよい。
【００４９】
画像サーバ７は、デジタルカメラ２Ａ，２Ｂ，２Ｃおよび定点カメラ５Ａ，５Ｂが撮影により取得した画像データをユーザＩＤと関連付けて保管する。図５はユーザＩＤと関連付けての画像データの保管を説明するための図である。なお、ここでは３人のユーザＵ１〜Ｕ３がテーマパーク内において撮影を行った場合の画像データの保管について説明する。なお、ユーザＵ１〜Ｕ３のユーザＩＤをそれぞれＵ１，Ｕ２，Ｕ３とする。
【００５０】
エリア１Ａにおいてはデジタルカメラ２Ａを用いてユーザＵ１が２回、ユーザＵ２が２回、ユーザＵ３が１回の撮影を行い、ファイル名がＤＳＣＡ００１．ｊｐｇ〜ＤＳＣＡ００５．ｊｐｇの合計５つの画像データが取得されて画像サーバ７に送信されたものとする。
【００５１】
エリア１Ｂにおいては、ユーザＵ３のみがデジタルカメラ２Ｂを用いて２回の撮影を、定点カメラ５Ｂを用いて２回の撮影を行い、ファイル名がＤＳＣＢ００１．ｊｐｇ，ＤＳＣＢ００２．ｊｐｇおよびＤＳＣＢＢ００１．ｊｐｇ，ＤＳＣＢＢ００２．ｊｐｇの合計４つの画像データが取得されて画像サーバ７に送信されたものとする。
【００５２】
エリア１Ｃにおいては、ユーザＵ３のみがデジタルカメラ２Ｃを用いて２回の撮影を行い、ファイル名がＤＳＣＣ００１．ｊｐｇ，ＤＳＣＣ００２．ｊｐｇの合計２つの画像データが取得されて画像サーバ７に送信されたものとする。
【００５３】
画像サーバ７は、送信された画像データのタグ情報に記述されたユーザＩＤおよびカメラＩＤに基づいて画像管理テーブルＴ１を生成して保管する。図５に示すように画像管理テーブルＴ１は、ユーザＩＤ、そのユーザＩＤのユーザが取得した画像データのファイル名および画像データを取得したカメラのカメラＩＤを対応付けたものである。
【００５４】
後日ユーザＵ１〜Ｕ３がパソコン１０から画像サーバ７にアクセスしてユーザＩＤを入力すると、画像サーバ７は画像管理テーブルＴ１を参照して入力されたユーザＩＤに対応する画像データをパソコン１０に送信する。これにより、ユーザＵ１〜Ｕ３は、パソコン１０により自身が取得した画像データを閲覧することができる。
【００５５】
また、画像サーバ７は、カメラＩＤと撮影エリアとを対応付けたカメラ管理テーブルＴ２を保管しており、画像管理テーブルＴ１およびカメラ管理テーブルＴ２を参照して、撮影エリアとその撮影エリアにおける撮影枚数とを対応付けた集計管理テーブルＴ３を生成して保管する。
【００５６】
テーマパークの管理者は、画像サーバ７が保管する集計管理テーブルＴ３を参照することにより、いずれのエリア１Ａ，１Ｂ，１Ｃが撮影枚数の多い人気エリアであるかを把握することができる。
【００５７】
ユーザＵ０は、画像サーバ７に保管された画像データを閲覧した際に、プリント出力やメディアへの記録等のプリント注文を画像サーバ７に対して行うことができる。画像サーバ７はプリント注文を受け付けると、注文があった画像データを出力サーバ８に送信する。出力サーバ８は注文があった画像データのプリント出力やメディアへの記録を行う。
【００５８】
次いで、本実施形態において、エリア１Ａ，１Ｂ，１Ｃにおいて撮影時に行われる処理について説明する。なお、いずれのエリアにおいても撮影時に行われる処理は同一であるため、ここではエリア１Ａにおいて行われる処理についてのみ説明する。また、デジタルカメラ２Ａから画像サーバ７への画像データの送信は、カメラ設置台３Ａから行われるものとする。
【００５９】
図６はデジタルカメラ２Ａを用いての撮影時に行われる処理を示すフローチャートである。まず、デジタルカメラ２ＡのＣＰＵ４２は、ユーザＵ０によりユーザＩＤが入力されたか否かを監視しており（ステップＳ１）、ステップＳ１が肯定されると入力されたユーザＩＤを不揮発性メモリ６６に一時的に記録する（ステップＳ２）。そして、撮影の指示がなされたか否かの監視を開始し（ステップＳ３）、ステップＳ３が肯定されると、撮影を行って画像データを取得する（ステップＳ４）。ＣＰＵ４２は、取得された画像データのタグ情報にユーザＩＤおよびカメラＩＤを記述し（ステップＳ５）、画像データを内部メモリ８６に記録する（ステップＳ６）。
【００６０】
一方、カメラ設置台３Ａは、ユーザＵ０がデジタルカメラ２Ａを設置することにより、コネクタ９４がデジタルカメラ２Ａのコネクタ５８と接続されているか否かを監視しており（ステップＳ７）、ステップＳ７が肯定されるとＣＰＵ９８がデジタルカメラ２Ａの内部メモリ８６から画像データを読み出し（ステップＳ８）、読み出した画像データをＬＡＮ６経由で画像サーバ７に送信し（ステップＳ９）、処理を終了する。
【００６１】
図７は定点カメラ５Ａを用いての撮影時に行われる処理を示すフローチャートである。まず、定点カメラ５ＡのＣＰＵ１４２は、ユーザＵ０によりユーザＩＤが入力されたか否かを監視しており（ステップＳ２１）、ステップＳ２１が肯定されると入力されたＩＤを不揮発性メモリ１６６に一時的に記録する（ステップＳ２２）。そして、リモコン１６０からの撮影の指示がなされたか否かの監視を開始し（ステップＳ２３）、ステップＳ２３が肯定されると、撮影を行って画像データを取得する（ステップＳ２４）。ＣＰＵ１４２は、取得された画像データのタグ情報にユーザＩＤおよびカメラＩＤを記述し（ステップＳ２５）、画像データを内部メモリ１８６に記録する（ステップＳ２６）。そして、画像データをＬＡＮ６経由で画像サーバ７に送信し（ステップＳ２７）、処理を終了する。
【００６２】
図８は撮影の予約がなされた場合に定点カメラにおいて行われる処理を示すフローチャートである。なお、既にユーザＵ０による予約は行われているものとする。
【００６３】
まず、ＣＰＵ１４２は不揮発性メモリ１６６に記録された予約日時およびカレンダ時計１７０を参照して、予約された撮影日時となったか否かを監視している（ステップＳ３１）。ステップＳ３１が肯定されると、撮影を行って画像データを取得する（ステップＳ３２）。ＣＰＵ１４２は、取得された画像データのタグ情報に予約時に入力されて不揮発性メモリ１６６に記録されていたユーザＩＤおよびカメラＩＤを記述し（ステップＳ３３）、画像データを内部メモリ１８６に記録する（ステップＳ３４）。そして、画像データをＬＡＮ６経由で画像サーバ７に送信し（ステップＳ３５）、処理を終了する。
【００６４】
このように、本実施形態においては、エリア１Ａ，１Ｂ，１Ｃに移動可能にデジタルカメラ２Ａ，２Ｂ，２Ｃを備えるようにしたため、ユーザＵ０はデジタルカメラを持ち歩かなくても、テーマパーク内の特定のエリアにおいて所望とするアングルの画像の撮影を行うことができる。また、撮影により取得した画像データはユーザＩＤと関連付けられて画像サーバ７に保管されるため、後日ユーザＵ０は自宅のパソコン１０から画像サーバ７にアクセスし、ユーザＩＤに基づいて画像データを検索することにより、自身が撮影により取得した画像データを他人に見られることなく閲覧することができる。
【００６５】
また、定点カメラ５Ａ，５Ｂが設置されている場合には、定点カメラ５Ａ，５Ｂを用いての撮影を行うことができ、これにより、テーマパークにおいて推奨されるアングルの画像の撮影を行うことができる。
【００６６】
また、カメラＩＤと画像データとを関連付けて画像サーバ７に出力して集計管理テーブルＴ３を生成することにより、テーマパークの管理者は、集計管理テーブルＴ３を参照すれば、いずれのエリア１Ａ，１Ｂ，１Ｃの人気があるかを容易に把握することができる。
【００６７】
また、定点カメラ５Ａ，５Ｂにおいて撮影日時の予約を受け付け、予約された撮影日時に撮影を行って画像データを取得することにより、予約した日時に行われるイベント等の画像データを確実に撮影して画像サーバ７に保管しておくことができる。また、そのイベントの時刻にエリア１Ａ，１Ｂ，１Ｃにいる必要がなくなるため、ユーザＵ０はイベントの時刻に拘束されることなく、テーマパーク内を自由に移動できる。
【００６８】
なお、上記実施形態においては、デジタルカメラ２Ａ，２Ｂ，２Ｃおよび定点カメラ５Ａ，５ＢにユーザＩＤを入力しているが、デジタルカメラ２Ａ，２Ｂ，２Ｃおよび定点カメラ５Ａ，５Ｂを用いてユーザＩＤがプリントされた用紙を撮影することにより、デジタルカメラ２Ａ，２Ｂ，２Ｃおよび定点カメラ５Ａ，５ＢにユーザＩＤを入力してもよい。この場合、デジタルカメラ２Ａ，２Ｂ，２Ｃおよび定点カメラ５Ａ，５Ｂは、ユーザＩＤを撮影することにより取得した画像データに対して文字認識を行うことによりユーザＩＤを認識し、認識したユーザＩＤを画像データと関連付ける。
【００６９】
また、上記実施形態においては、テーマパークに本発明による撮影システムを設置した場合について説明しているが、結婚式場等においてデジタルカメラ２Ａ，２Ｂ，２Ｃおよびカメラ設置台３Ａ，３Ｂ，３Ｃを会場の各テーブルに複数人が利用可能に備えておき、撮影時にデジタルカメラ２Ａ，２Ｂ，２ＣにユーザＩＤを入力してから撮影を行うようにしてもよい。この場合、ユーザは後日画像サーバ７にアクセスして、自身が撮影した画像データを上記実施形態と同様に閲覧することができる。
【００７０】
また、上記実施形態においては、エリア１Ｃには定点カメラを設けていないが、エリア１Ｃにも定点カメラを設けてもよい。
【００７１】
また、上記実施形態においては、テーマパーク内に３つのエリア１Ａ，１Ｂ，１Ｃを設けているが、エリアの数は１つまたは２つであってもよく、４以上であってもよい。
【図面の簡単な説明】
【図１】本発明の実施形態による撮影システムの構成を示す概略ブロック図
【図２】デジタルカメラの信号処理系のブロック図
【図３】カメラ設置台の信号処理系のブロック図
【図４】定点カメラの信号処理系のブロック図
【図５】ユーザＩＤと関連付けての画像データの保管を説明するための図
【図６】デジタルカメラを用いての撮影時に行われる処理を示すフローチャート
【図７】定点カメラを用いての撮影時に行われる処理を示すフローチャート
【図８】撮影の予約がなされた場合に定点カメラにおいて行われる処理を示すフローチャート
【符号の説明】
１Ａ，１Ｂ，１Ｃ    エリア
２Ａ，２Ｂ，２Ｃ    デジタルカメラ
３Ａ，３Ｂ，３Ｃ    カメラ設置台
４Ａ，４Ｂ，４Ｃ    無線ＬＡＮ通信機器
５Ａ，５Ｂ    定点カメラ
６    ＬＡＮ
７    画像サーバ
８    出力サーバ
９    インターネット
１０    パソコン
【図１】
2004289436.tif 000003
【図２】
2004289436.tif 000004
【図３】
2004289436.tif 000005
【図４】
2004289436.tif 000006
【図５】
2004289436.tif 000007
【図６】
2004289436.tif 000008
【図７】
2004289436.tif 000009
【図８】
2004289436.tif 000010